(57)【特許請求の範囲】
【請求項１】
複数のルータ間が複数の光クロスコネクトにより接続された光パスネットワークで、発側ルータと着側ルータとの間に使用波長数および経由する光クロスコネクト数が最小となるように仮想的な光パスをあらかじめ計算しておき、
発側ルータと着側ルータとの間でトラヒックが発生し、光パスの設定要求が現れると、前記あらかじめ計算された仮想的な光パス上に実際の光パスを設定する
ことを特徴とする光パス設定方法。
【請求項２】
前記仮想的な光パスをあらかじめ計算する際に、異なる前記仮想的な光パスの部分的な重複を許容する請求項１記載の光パス設定方法。
【請求項３】
異なる前記仮想的な光パスの部分的な重複を許容する際に、当該重複部分のデータ流入部分では、異なるＮ（Ｎは自然数）本の光パスをＮ対１に接続し、当該重複部分のデータ流出部分では、一本の光パスをＭ（Ｍは自然数）本の光パスに１対Ｍ分岐する請求項２記載の光パス設定方法。
【請求項４】
複数のルータと、複数の前記ルータ間を接続する複数の光クロスコネクトとを備えた光パスネットワークに設けられ、発側ルータと着側ルータとの間に使用波長数および経由する光クロスコネクト数が最小となるように仮想的な光パスをあらかじめ計算しておく手段と、発側ルータと着側ルータとの間でトラヒックが発生して光パスの設定要求が現れると、前記あらかじめ計算された前記仮想的な光パス上に実際の光パスを設定する手段とを備えたことを特徴とする光パス設定装置。
【請求項５】
前記仮想的な光パスをあらかじめ計算しておく手段は、異なる前記仮想的な光パスの部分的な重複を許容して設定する手段を含む請求項４記載の光パス設定装置。
【請求項６】
異なる前記仮想的な光パスの部分的な重複を許容して設定する手段は、当該重複部分のデータ流入部分では、異なるＮ（Ｎは自然数）本の光パスをＮ対１に接続する合波手段を備え、当該重複部分のデータ流出部分では、一本の光パスをＭ（Ｍは自然数）本の光パスに１対Ｍ分岐する分波手段を備えた請求項５記載の光パス設定装置。
【請求項７】
情報処理装置にインストールすることにより、その情報処理装置に、複数のルータと、複数の前記ルータ間を接続する複数の光クロスコネクトとを備えた光パスネットワークに設けられた光パス設定装置に相応する機能として、発側ルータと着側ルータとの間に使用波長数および経由する光クロスコネクト数が最小となるように仮想的な光パスをあらかじめ計算しておく機能と、発側ルータと着側ルータとの間でトラヒックが発生して光パスの設定要求が現れると、前記あらかじめ計算された前記仮想的な光パス上に実際の光パスを設定する機能とを実現させることを特徴とするプログラム。
【請求項８】
前記仮想的な光パスをあらかじめ計算しておく機能として、異なる前記仮想的な光パスの部分的な重複を許容して設定する機能を実現させる請求項７記載のプログラム。
【請求項９】
請求項７または８に記載のプログラムが記録された前記情報処理装置読取可能な記録媒体。
【発明の詳細な説明】
【０００１】
【発明の属する技術分野】
本発明は光通信に利用する。特に、ルータ相互間が光クロスコネクトを含む光パスネットワークにより接続された光通信システムに利用する。
【０００２】
【従来の技術】
従来の光パスネットワークにおける光パス設定方法を図６および図７を参照して説明する。図６は光クロスコネクト間に設定された光パスおよびその使用波長の例を示す図である。図７は従来の光パス設定シーケンスを示す図である。
【０００３】
図６に示すように、ルータＡからＢに向かう光パスは、経路上のリソースである光クロスコネクト１をステップバイステップにハンティングしながら接続される。この場合には、各光クロスコネクト１は、ネクストホップの光クロスコネクト１までの空波長をたまたま空いている波長から選択して接続する。
【０００４】
【発明が解決しようとする課題】
このような従来の光パス設定方法では、波長をうまくアサインするとｅｎｄ−ｔｏ−ｅｎｄで波長変換を行わないで済むルーティングも実現できる。このような波長変換を必要としない、あるいは、少ない使用波長数の光パスが常時実現できれば、光クロスコネクトもシンプルに作ることができるし、波長変換時に生じるロスやクロストークも少ない。
【０００５】
しかし、従来の光パス設定方法では、このような波長変換を必要としない、あるいは、少ない使用波長数の光パスは、そのような波長が空いていた場合に偶発的に実現できることであり、故意に常時実現できるものではない。
【０００６】
また、理論的には、送信端のエッジで、ｅｎｄ−ｔｏ−ｅｎｄに最適な波長を選択し、必要最小限の波長変換でルーティングすることも可能であるが、この場合は、他のルーティングペアで、どのような波長を使うか、広域で波長を最適化するために大きなプロセッシングパワーと時間が必要となる。すなわち、電子情報通信学会論文誌（和文）Ｖｏｌ．Ｊ７７−Ｂ−Ｉ  Ｎｏ．５ｐｐ．２７５−２８４にあるように、十分な計算時間があれば、波長変換を必要としないグローバルに最適化された波長を割当てたネットワーク接続が可能である。しかし、高速で光パスを設定することはできない。
【０００７】
また、高速で光パスを設定しようとした場合には、光パス設定要求のたびに、リンクバイリンクでたまたま空いている波長を使用することになり、もし、最短経路上に空き波長が存在しない場合には、多少遠回りでも波長が空いている迂回経路を設定することになり、上記のグローバルに最適化された場合に必要な波長よりも大きなリソースを必要とする。
【０００８】
本発明は、このような背景に行われたものであって、光パス設定要求にしたがって高速かつ最少リソースを用いてグローバルに最適化された波長を割当てることができる光パスネットワークの光パス設定方法および光パス設定装置およびプログラムおよび記録媒体を提供することを目的とする。
【０００９】
【課題を解決するための手段】
本発明は、光パスネットワークの取り得る経路上に、事前に、グローバルに最適化された波長を最少リソースを用いて割当てた仮想的な光パスを設定し、実際に光パスを接続するときには計算は行わず、事前に仮想的な光パスに割当てた光波長をベースに波長を選択する、もしくは、事前に、中継部分はグローバルに最適化された波長を最少リソースを用いて割当てた光パスを設定し、ルータと光ネットワークとの接続によって光パスを確立することを特徴とする。これにより、光パス設定要求にしたがって高速かつ最少リソースを用いてグローバルに最適化された波長を割当てることができる。
【００１０】
本発明の第一の観点は、複数のルータ間が複数の光クロスコネクトにより接続された光パスネットワークで、複数の前記ルータのいずれか二つに対する仮想的な光パスをあらかじめ設定しておき、光パス設定要求に含まれる発側ルータと着側ルータとの間に設定された前記仮想的な光パス上に実際の光パスを設定することを特徴とする光パス設定方法である。
【００１１】
前記仮想的な光パスをあらかじめ設定する際に、使用波長数および経由する光クロスコネクト数が最小となるように設定することが望ましい。
【００１２】
このように、あらかじめ時間をかけてグローバルに最適化された光パスを仮想的に設定しておくことにより、実際に光パス設定要求が発生した場合には、もはや計算は必要としないので高速かつ最少リソースを用いてグローバルに最適化された光パスを設定することができる。
【００１３】
あるいは、本発明の第一の観点は、複数のルータ間が複数の光クロスコネクトにより接続された光パスネットワークで、複数の前記ルータのいずれか二つに対するルータ接続端となる光クロスコネクトをそれぞれ設定しておき、このルータ接続端となる光クロスコネクトのいずれか二つに対する光パスをあらかじめ設定しておき、光パス設定要求に含まれる発側ルータおよび着側ルータをこれらのルータに最も近い前記ルータ接続端となる光クロスコネクトにそれぞれ接続することを特徴とする光パス設定方法である。
【００１４】
前記光パスをあらかじめ設定する際に、使用波長数および経由する光クロスコネクト数が最小となるように設定することが望ましい。
【００１５】
このように、あらかじめ時間をかけてグローバルに最適化された光パスを設定しておくことにより、実際に光パス設定要求が発生した場合には、もはや計算は必要としないので高速かつ最少リソースを用いてグローバルに最適化された光パスを設定することができる。
【００１６】
また、前記仮想的な光パスをあらかじめ設定する際あるいは前記光パスをあらかじめ設定する際に、異なる前記仮想的な光パスあるいは異なる前記光パスの部分的な重複を許容することができる。
【００１７】
これにより、仮想的な光パス設定あるいは光パス設定の自由度を向上させることができるため、設定に要する時間を短縮することができる。
【００１８】
異なる前記仮想的な光パスあるいは異なる前記光パスの部分的な重複を許容する際に、当該重複部分のデータ流入部分では、異なるＮ（Ｎは自然数）本の光パスをＮ対１に接続し、当該重複部分のデータ流出部分では、一本の光パスをＭ（Ｍは自然数）本の光パスに１対Ｍ分岐することが望ましい。
【００１９】
すなわち、実際に光パスを用いてデータ転送が行われる場合には、複数の仮想的な光パスあるいは光パスの全てについて同時である確率は低い。したがって、当該重複部分のデータ流入部分では、異なるＮ本の光パスをＮ対１に接続し、当該重複部分のデータ流出部分では、一本の光パスをＭ本の光パスに１対Ｍ分岐しておけば、当該重複部分を複数の光パスで共用することが可能になる。
【００２０】
本発明の第二の観点は、複数のルータと、複数の前記ルータ間を接続する複数の光クロスコネクトとを備えた光パスネットワークに設けられ、複数の前記ルータのいずれか二つに対する仮想的な光パスをあらかじめ設定しておく手段と、光パス設定要求に含まれる発側ルータと着側ルータとの間に設定された前記仮想的な光パス上に実際の光パスを設定する手段とを備えた光パス設定装置である。
【００２１】
前記仮想的な光パスをあらかじめ設定しておく手段は、使用波長数および経由する光クロスコネクト数が最小となるように設定する手段を含むことが望ましい。
【００２２】
あるいは、本発明の第二の観点は、複数のルータと、複数の前記ルータ間を接続する複数の光クロスコネクトとを備えた光パスネットワークに設けられ、複数の前記ルータのいずれか二つに対するルータ接続端となる光クロスコネクトがあらかじめそれぞれ設定され、このルータ接続端となる光クロスコネクトのいずれか二つに対する光パスをあらかじめ設定しておく手段と、光パス設定要求に含まれる発側ルータおよび着側ルータをこれらのルータに最も近い前記ルータ接続端となる光クロスコネクトにそれぞれ接続する手段とを備えたことを特徴とする光パス設定装置である。
【００２３】
前記光パスをあらかじめ設定しておく手段は、使用波長数および経由する光クロスコネクト数が最小となるように設定する手段を含むことが望ましい。
【００２４】
また、前記仮想的な光パスをあらかじめ設定しておく手段あるいは前記光パスをあらかじめ設定しておく手段は、異なる前記仮想的な光パスあるいは異なる前記光パスの部分的な重複を許容して設定する手段を含むことが望ましい。
【００２５】
この場合には、異なる前記仮想的な光パスあるいは異なる前記光パスの部分的な重複を許容して設定する手段は、当該重複部分のデータ流入部分では、異なるＮ（Ｎは自然数）本の光パスをＮ対１に接続する合波手段を備え、当該重複部分のデータ流出部分では、一本の光パスをＭ（Ｍは自然数）本の光パスに１対Ｍ分岐する分波手段を備えることが望ましい。
【００２６】
本発明の第三の観点は、情報処理装置にインストールすることにより、その情報処理装置に、複数のルータと、複数の前記ルータ間を接続する複数の光クロスコネクトとを備えた光パスネットワークに設けられた光パス設定装置に相応する機能として、複数の前記ルータのいずれか二つに対する仮想的な光パスをあらかじめ設定しておく機能と、光パス設定要求に含まれる発側ルータと着側ルータとの間に設定された前記仮想的な光パス上に実際の光パスを設定する機能とを実現させることを特徴とするプログラムである。
【００２７】
前記仮想的な光パスをあらかじめ設定しておく機能として、使用波長数および経由する光クロスコネクト数が最小となるように設定する機能を実現させることが望ましい。
【００２８】
あるいは、本発明の第三の観点は、情報処理装置にインストールすることにより、その情報処理装置に、複数のルータと、複数の前記ルータ間を接続する複数の光クロスコネクトとを備えた光パスネットワークに設けられた光パス設定装置に相応する機能として、複数の前記ルータのいずれか二つに対するルータ接続端となる光クロスコネクトがあらかじめそれぞれ設定され、このルータ接続端となる光クロスコネクトのいずれか二つに対する光パスをあらかじめ設定しておく機能と、光パス設定要求に含まれる発側ルータおよび着側ルータをこれらのルータに最も近い前記ルータ接続端となる光クロスコネクトにそれぞれ接続する機能とを実現させることを特徴とするプログラムである。
【００２９】
前記光パスをあらかじめ設定しておく機能として、使用波長数および経由する光クロスコネクト数が最小となるように設定する機能を実現させることが望ましい。
【００３０】
また、前記仮想的な光パスをあらかじめ設定しておく機能あるいは前記光パスをあらかじめ設定しておく機能として、異なる前記仮想的な光パスあるいは異なる前記光パスの部分的な重複を許容して設定する機能を実現させることが望ましい。
【００３１】
本発明の第四の観点は、本発明のプログラムが記録された前記情報処理装置読取可能な記録媒体である。本発明のプログラムは本発明の記録媒体に記録されることにより、前記情報処理装置は、この記録媒体を用いて本発明のプログラムをインストールすることができる。あるいは、本発明のプログラムを保持するサーバからネットワークを介して直接前記情報処理装置に本発明のプログラムをインストールすることもできる。
【００３２】
これにより、コンピュータ装置等の情報処理装置により、光パス設定要求にしたがって高速かつ最少リソースを用いてグローバルに最適化された波長を割当てることができる光パスネットワークの光パス設定装置を実現することができる。
【００３３】
【発明の実施の形態】
本発明実施例の光パスネットワークの光パス設定装置を図１ないし図５を参照して説明する。図１は本実施例の全体構成図である。図２は第一実施例の光パス設定方法を説明するための図である。図３は第二実施例の光パス設定方法を説明するための図である。図４は第三実施例の光パス設定方法を説明するための図である。図５は第四実施例の重複部分構成を示す図である。
【００３４】
第一実施例は、図１および図２に示すように、複数のルータＡ〜Ｄ間が複数の光クロスコネクト１−１〜１−８により接続された光パスネットワークで、複数のルータＡ〜Ｄのいずれか二つに対する仮想的な光パスをあらかじめ設定しておき、光パス設定要求に含まれる発側ルータと着側ルータとの間に設定された前記仮想的な光パス上に実際の光パスを設定する。
【００３５】
前記仮想的な光パスをあらかじめ設定する際に、使用波長数および経由する光クロスコネクト数が最小となるように設定する。
【００３６】
第二実施例は、図３に示すように、複数のルータＡ〜Ｄ間が複数の光クロスコネクト１−１〜１−８により接続された光パスネットワークで、複数のルータＡ〜Ｄのいずれか二つに対するルータ接続端となる光クロスコネクト１−１、１−４、１−７、１−８をそれぞれ設定しておき、このルータ接続端となる光クロスコネクト１−１、１−４、１−７、１−８のいずれか二つに対する光パスをあらかじめ設定しておき、光パス設定要求に含まれる発側ルータおよび着側ルータをこれらのルータに最も近い前記ルータ接続端となる光クロスコネクト１−１、１−４、１−７、１−８にそれぞれ接続する。
【００３７】
前記光パスをあらかじめ設定する際に、使用波長数および経由する光クロスコネクト数が最小となるように設定する。
【００３８】
第三実施例は、図４に示すように、前記仮想的な光パスをあらかじめ設定する際あるいは前記光パスをあらかじめ設定する際に、異なる前記仮想的な光パスあるいは異なる前記光パスの部分的な重複（オーバーブッキング波長）を許容する。
【００３９】
第四実施例は、図５に示すように、異なる前記仮想的な光パスあるいは異なる前記光パスの部分的な重複を許容する際に、当該重複部分のデータ流入部分では、異なるＮ（Ｎは自然数）本の光パスをＮ対１に接続し、当該重複部分のデータ流出部分では、一本の光パスをＭ（Ｍは自然数）本の光パスに１対Ｍ分岐する。
【００４０】
具体的には、第一実施例として、図１に示すように、複数のルータＡ〜Ｄと、複数のルータＡ〜Ｄ間を接続する複数の光クロスコネクト１−１〜１−８とを備えた光パスネットワークに設けられ、複数のルータＡ〜Ｄのいずれか二つに対する仮想的な光パスをあらかじめ設定しておき、光パス設定要求に含まれる発側ルータと着側ルータとの間に設定された前記仮想的な光パス上に実際の光パスを設定する光パス設定装置１０を備える。
【００４１】
光パス設定装置１０は、前記仮想的な光パスをあらかじめ設定しておく際に、使用波長数および経由する光クロスコネクト数が最小となるように設定する。
【００４２】
また、第二実施例として、複数のルータＡ〜Ｄと、複数のルータＡ〜Ｄ間を接続する複数の光クロスコネクト１−１〜１−８とを備えた光パスネットワークに設けられ、複数のルータＡ〜Ｄのいずれか二つに対するルータ接続端となる光クロスコネクト１−１、１−４、１−７、１−８があらかじめそれぞれ設定され、このルータ接続端となる光クロスコネクト１−１、１−４、１−７、１−８のいずれか二つに対する光パスをあらかじめ設定しておき、光パス設定要求に含まれる発側ルータおよび着側ルータをこれらのルータに最も近い前記ルータ接続端となる光クロスコネクト１−１、１−４、１−７、１−８にそれぞれ接続する光パス設定装置１０を備える。
【００４３】
前記光パスをあらかじめ設定しておく際に、使用波長数および経由する光クロスコネクト数が最小となるように設定する。
【００４４】
また、図４に示すように、前記仮想的な光パスをあらかじめ設定しておく際あるいは前記光パスをあらかじめ設定しておく際は、異なる前記仮想的な光パスあるいは異なる前記光パスの部分的な重複を許容して設定する。
【００４５】
図５に示すように、異なる前記仮想的な光パスあるいは異なる前記光パスの部分的な重複を許容して設定する際は、当該重複部分のデータ流入部分では、異なるＮ（Ｎは自然数）本の光パスをＮ対１に接続する合波装置２０を備え、当該重複部分のデータ流出部分では、一本の光パスをＭ（Ｍは自然数）本の光パスに１対Ｍ分岐する分波装置３０を備える。
【００４６】
本実施例の光パス設定装置１０は情報処理装置としてのコンピュータ装置により実現することができる。すなわち、コンピュータ装置にインストールすることにより、そのコンピュータ装置に、複数のルータＡ〜Ｄと、複数のルータＡ〜Ｄ間を接続する複数の光クロスコネクト１−１〜１−８とを備えた光パスネットワークに設けられた第一実施例の光パス設定装置１０に相応する機能として、複数のルータＡ〜Ｄのいずれか二つに対する仮想的な光パスをあらかじめ設定しておく機能と、光パス設定要求に含まれる発側ルータと着側ルータとの間に設定された前記仮想的な光パス上に実際の光パスを設定する機能とを実現させるプログラムをコンピュータ装置にインストールすることにより、そのコンピュータ装置を第一実施例の光パス設定装置１０に相応する装置とすることができる。
【００４７】
本実施例のプログラムは、前記仮想的な光パスをあらかじめ設定しておく機能として、使用波長数および経由する光クロスコネクト数が最小となるように設定する機能を実現させる。
【００４８】
また、コンピュータ装置にインストールすることにより、そのコンピュータ装置に、複数のルータＡ〜Ｄと、複数のルータＡ〜Ｄ間を接続する複数の光クロスコネクト１−１〜１−８とを備えた光パスネットワークに設けられた第二実施例の光パス設定装置１０に相応する機能として、複数のルータＡ〜Ｄのいずれか二つに対するルータ接続端となるの光クロスコネクト１−１、１−４、１−７、１−８があらかじめそれぞれ設定され、このルータ接続端となる光クロスコネクト１−１、１−４、１−７、１−８のいずれか二つに対する光パスをあらかじめ設定しておく機能と、光パス設定要求に含まれる発側ルータおよび着側ルータをこれらのルータに最も近い前記ルータ接続端となる光クロスコネクト１−１、１−４、１−７、１−８にそれぞれ接続する機能とを実現させるプログラムをコンピュータ装置にインストールすることにより、そのコンピュータ装置を第二実施例の光パス設定装置１０に相応する装置とすることができる。
【００４９】
本実施例のプログラムは、前記光パスをあらかじめ設定しておく機能として、使用波長数および経由する光クロスコネクト数が最小となるように設定する機能を実現させる。
【００５０】
さらに、本実施例のプログラムは、前記仮想的な光パスをあらかじめ設定しておく機能あるいは前記光パスをあらかじめ設定しておく機能として、異なる前記仮想的な光パスあるいは異なる前記光パスの部分的な重複を許容して設定する機能を実現させる。
【００５１】
本実施例のプログラムは本実施例の記録媒体に記録されることにより、コンピュータ装置は、この記録媒体を用いて本実施例のプログラムをインストールすることができる。あるいは、本実施例のプログラムを保持するサーバからネットワークを介して直接コンピュータ装置に本実施例のプログラムをインストールすることもできる。
【００５２】
これにより、コンピュータ装置により、光パス設定要求にしたがって高速かつ最少リソースを用いてグローバルに最適化された波長を割当てることができる光パスネットワークの光パス設定装置１０を実現することができる。
【００５３】
以下では、本実施例をさらに詳細に説明する。
【００５４】
（第一実施例）
第一実施例を図１および図２を参照して説明する。図１ではルータＡ〜Ｄは、光ネットワークを通して接続されるが、メッシュ接続されるもしくはされているとは限らない多くの場合は、波長リソースの制約から、交流トラヒックの大きくない対地には、ダイレクトで光パスを接続することはない。ここで、光ネットワークの内部の構成を図２を参照して説明する。
【００５５】
破線で記述された所は実際には波長を使用していないため机上で使用予定の波長を決めているだけである。実際に使用するときは、この波長を用いて光パスを接続する。
【００５６】
第一実施例では、ルータＡ→Ｄ間は実際に使用している光パス、ルータＡ→Ｂ間、ルータＡ→Ｃ間は光パスを設定する場合には、リンクの空状況から考えた最適な波長が選択されている。このルータＡ→Ｂ間、ルータＡ→Ｃ間のリンクは仮想的な光パスで、実際にトラヒックが流れるときに接続される。
【００５７】
（第二実施例）
第二実施例を図１および図３を参照して説明する。図３で破線は実際に接続されていない。この場合は、ルータＡの波長λ１、λ２、およびルータＢの波長λ１、ルータＣの波長λ５は使用していない。一方、中継区間は実際に光クロスコネクト１−１〜１−８も接続されている。すなわち、光クロスコネクト１−１、１−４、１−７、１−８が仮想的なルータ接続端としての役割を果たす。
【００５８】
実際にルータＡ→Ｃ間に光パスを設定する場合は、ルータＡを光クロスコネクト１−１に接続して波長λ１を割当て、ルータＢを光クロスコネクト１−７に接続して波長λ１を割当てることによりそれぞれ光ネットワークに接続すればよい。これにより高速かつ最少リソースを用いてグローバルに最適な波長を割当てた光パスを提供し得る。
【００５９】
（第三実施例）
第三実施例を図４を参照して説明する。ルータＡ→Ｂ間およびルータＣ→Ｄ間に仮想的な光パスが接続されている。中継リンクは波長λ３で、これはルータＡ→Ｂ間の経路およびルータＣ→Ｄ間の経路で共通に重複割当てされている。実際に設定するときに、先に張った方が波長λ３（オーバーブッキング波長）を使用し、一方は別な波長を探すことになる。
【００６０】
（第四実施例）
第四実施例を図５を参照して説明する。第四実施例は、第二実施例に示すように、中継はすでに接続されているが、ルータと光ネットワークとは実際のトラヒックが発生した場合に接続する構成で、中継リンクを重複させている。重複部分は、合波装置２０による合波と分波装置３０による分岐接続により接続し、実際には、トラヒックが流れていない。
【００６１】
もし、ルータＡ→Ｂ間の光パス設定要求が発生した場合は、合波は問題ないが、分岐において、ルータＢおよびＤに分岐する。しかし、ルータＤはまた光ネットワークに接続されていないので実際の問題は生じない。
【００６２】
【発明の効果】
以上説明したように、本発明によれば、光パス設定要求にしたがって高速かつ最少リソースを用いてグローバルに最適化された波長を割当てることができる。
【図面の簡単な説明】
【図１】本実施例の全体構成図。
【図２】第一実施例の光パス設定方法を説明するための図。
【図３】第二実施例の光パス設定方法を説明するための図。
【図４】第三実施例の光パス設定方法を説明するための図。
【図５】第四実施例の重複部分構成を示す図。
【図６】光クロスコネクト間に張られた光パスおよびその使用波長の例を示す図。
【図７】従来の光パス設定シーケンスを示す図。
【符号の説明】
１、１−１〜１−８  光クロスコネクト
１０  光パス設定装置
２０  合波装置
３０  分波装置
Ａ〜Ｄ  ルータ
【図１】
0003816804.tif 000002
【図２】
0003816804.tif 000003
【図３】
0003816804.tif 000004
【図４】
0003816804.tif 000005
【図５】
0003816804.tif 000006
【図６】
0003816804.tif 000007
【図７】
0003816804.tif 000008